(57)【要約】【課題】今日の技術では、スダレを寝具用として使用する発想に乏しく、上記開示事例に見るとおり、スダレをその剛性に着目してクッション性を高めるために、寝具用マットのクッション層内部に介装したり、敷き布団の下にスダレを敷いて、湿気を防止する手段として考えられている。  本発明は、環境問題に着目して安価で省エネを目的としたエコタイプの安眠用スダレを提供するものである。【解決手段】本発明は、エコタイプの安眠用スダレにおいて、寝具サイズに合わせて長さ及び幅を形成し、寝具の敷布団または寝具マットの上に敷いて、直接スダレの上に寝起きするため、スダレの四方を保護用カバーで包み、スダレの先で怪我しないように保護するとともに、スダレの冷たい感触を活用し、かつスダレ間の隙間により直接敷き布団に接触しないようにするものである。左右の保護カバーを帯又は糸状の繋で数箇所繋ぎ止めて、スダレが山状に盛り上がるようにしたものである。【選択図】図１
2010284475.tif 000002
【特許請求の範囲】
【請求項１】
寝具サイズに合わせて長さ及び幅を形成し、寝具の敷布団または寝具マットの上に敷いて、直接スダレの上に寝起きすることを特徴とするエコタイプ安眠スダレ
【請求項２】
請求項１のエコタイプ安眠スダレにおいて、四方を保護用カバーで包んだことを特徴とするエコタイプ安眠スダレ
【請求項３】
請求項２のエコタイプ安眠スダレにおいて、左右の保護カバーを帯又は糸状の繋で数箇所繋ぎ止めて、スダレが山状に盛り上がるように形成したことを特徴とするエコタイプ安眠スダレ
【請求項４】
請求項２のエコタイプ安眠スダレにおいて、スダレ材として竹製又は樹脂製のパイプを使用したことを特徴とするエコタイプ安眠スダレ
【請求項５】
請求項２のエコタイプ安眠スダレにおいて、保護カバー及び保護カバーを繋ぎ止める帯又は糸状の繋を取り外し可能にするため、保護カバー及び保護カバーを繋ぎ止める帯又は糸状の繋をマジックテープ、ホック又はボタン等で連接することを特徴とするエコタイプ安眠スダレ
【発明の詳細な説明】
【技術分野】
【０００１】  この発明は、従来は日よけ用または視界遮断用に使用されているスダレを寝具用に転用し、環境問題に着目して省エネを目的としたエコタイプの安眠用スダレを製作する技術に関するものである。
【背景技術】
【０００２】  従来、スダレは日よけ用または視界遮断用として使用されており、寝具用として転用する発想は極めて少なく、寝具用として使用する事例は、わずかに次の文献例で開示されているものの、安価で省エネを目的としたエコタイプの安眠用スダレを考案した事例は開示されていない。
特開２０００−２２５０４０（発明の名称：寝具用マット）、
実案公開平６−４８４７２（考案の名称：式布団の湿り防止用敷物）
【発明の開示】
【発明が解決しようとする課題】
【０００３】  今日の技術では、スダレを寝具用として使用する発想に乏しく、上記開示事例に見るとおり、スダレの剛性に着目してクッション性を高めるために、寝具用マットのクッション層内部にスダレを介装したり、敷き布団の下にスダレを敷いて、湿気を防止する手段として考えられている。
【課題を解決するための手段】
【０００４】  本発明は、環境問題に着目して安価で省エネを目的としたエコタイプの安眠用スダレを開発する目的で考案したもので、寝具サイズに合わせて長さ及び幅を形成し、寝具の敷布団または寝具マットの上に敷いて、直接スダレの上に寝起きするため、スダレの四方を保護用カバーで包み、スダレの先で怪我しないように保護するとともに、スダレの冷たい感触を活用し、かつスダレ間の隙間により直接敷き布団に接触しないようにするものである。【０００５】  また、エコタイプ安眠スダレにおいて、左右の保護カバーを帯又は糸状の繋で数箇所繋ぎ止めて、スダレが山状に盛り上がるように形成したものである。【０００６】  スダレの材質については、竹を基本とするが、樹脂を使用することも考えられる。
ただし、ヨシは人体の重みで割れたり折れたりして、怪我をする危険性があるため使用することはできない。また、スダレ材としてスダレ一本一本の形状を丸竹や樹脂からなるパイプを使用して成形することも考えられる。【０００７】  さらに、保護カバー及び保護カバーを繋ぎ止める帯又は糸状の繋を取り外し可能にするため、保護カバー及び保護カバーを繋ぎ止める帯又は糸状の繋をマジックテープ、ホック又はボタン等で連接するものである。
【発明の効果】
【０００８】  本発明により、スダレの冷たい感触を活用し、かつスダレ間の隙間およびスダレと敷布団との間にできた山状の空間により直接敷き布団に接触しない部分が形成されることから、湿気の多い日などに感じる「べたべた感」及び「じめじめ感」を軽減し、扇風機やエアコン等の使用頻度を少なくすることにより、省エネに寄与するものである。
さらに、構造が簡単で、従来のスダレの技術を応用することから安価に製造が可能であるとともに、従来日よけ用または視界遮断用としてのみ使用されていたスダレの活用範囲を広げ、スダレ業界の産業の発展に寄与することができる。
【発明を実施するための最良の形態】
【０００９】  以下、本発明のエコタイプ安眠スダレの最良の形態について、図面を参照して説明する。
【実施例１】
【００１０】  図１は、エコタイプ安眠スダレを寝具の敷布団または寝具マットの上に敷いた状態を示す斜視図である。１は寝具の敷布団または寝具マット、２はエコタイプ安眠スダレ、３は保護カバーを示す。
こうすることにより、スダレの冷たい感触を活用し、かつスダレ間の隙間により直接敷き布団に接触しないことから、湿気の多い日などに感じる「べたべた感」及び「じめじめ感」を軽減し、扇風機やエアコン等の使用頻度を少なくすることができる。【００１１】  図２は、エコタイプ安眠スダレの左右の保護カバーを帯又は糸状の繋で数箇所繋ぎ止めて、スダレが山状に盛り上がるようにしたエコタイプ安眠スダレを裏側から見た斜視図である。３は保護カバー、４は帯又は糸状の繋を示す。
こうすることにより、スダレと敷布団との間にできた山状の空間により直接敷き布団に接触しない部分が形成されることから、さらに、「べたべた感」や「じめじめ感」を軽減させることができる。
また、保護カバー及び保護カバーを繋ぎ止める帯又は糸状の繋を取り外し可能にするため、保護カバー及び保護カバーを繋ぎ止める帯又は糸状の繋をマジックテープ、ホック及びボタン等で連接することにより、保護カバー及び保護カバーを繋ぎ止める帯又は糸状の繋を洗濯や交換がしやすくなり、清潔性を保つことができる。【００１２】  図３は、図２のＡ−Ａ断面から見た保護カバーと帯又は糸状の繋とスダレ材の関係を示す概念図であり、３は保護カバー、４は帯又は糸状の繋、５はスダレ材を示す。
【産業上の利用可能性】
【００１３】  本発明により、スダレの冷たい感触を活用し、かつスダレ間の隙間およびスダレと敷布団との間にできた山状の空間により直接敷き布団に接触しない部分が形成されることから、湿気の多い日などに感じる「べたべた感」及び「じめじめ感」を軽減し、扇風機やエアコン等の使用頻度を少なくすることにより、省エネに寄与するものである。
さらに、構造が簡単で、従来のスダレの技術を応用することから安価に製造が可能であるとともに、従来日よけ用または視界遮断用としてのみ使用されていたスダレの活用範囲を広げ、スダレ業界の産業の発展に寄与することができる。
本発明は、今日大きな問題となっている環境問題に着目し、省エネを目的とすることから、顧客満足度が高まるとともに、従来のスダレ製造技術をそのまま活用して安価に製造できることから、スダレの活用範囲を広げ、スダレ業界の産業の発展に繋がることから、産業上の利用可能性が極めて高いものである。
【図面の簡単な説明】
【００１４】
【図１】  エコタイプ安眠スダレを寝具の敷布団または寝具マットの上に敷いた状態を示す斜視図である。
【図２】  エコタイプ安眠スダレの左右の保護カバーを帯又は糸状の繋で数箇所繋ぎ止めて、スダレが山状に盛り上がるようにしたエコタイプ安眠スダレを裏側から見た斜視図である。
【図３】  図２のＡ−Ａ断面から見た保護カバーと帯又は糸状の繋とスダレ材の関係を示す概念図である。
【符号の説明】
【００１５】１；寝具の敷布団または寝具マット
２；エコタイプ安眠スダレ
３；保護カバー
４；帯又は糸状の繋
５；スダレ材
【図１】
2010284475.tif 000003
【図２】
2010284475.tif 000004
【図３】
2010284475.tif 000005